【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
印刷候補の画像データのプレビュー画面を表示部に表示させることが可能な画像処理装置であって、
人物が写っている可能性のある画像データに対して顔検知処理を行い、人物の顔領域と、目及び口の位置を検知する顔検知手段と、
前記顔検知手段により検知した人物の顔領域の枠を前記プレビュー画面に表示する顔領域表示手段と、
画像パーツを配置すべく前記プレビュー画面の任意の座標位置を指示する指示手段と、
前記顔検知手段の検知結果に基づき、前記指示手段により指示された画像パーツを前記顔領域の周囲において移動させ画像パーツ移動手段と、を有することを特徴とする画像処理装置。
【請求項２】
前記画像パーツ移動手段により位置決めされた画像パーツと、前記印刷候補の画像データとを重ね合わせて合成してプリンタエンジンに送出する画像合成手段をさらに有することを特徴とする請求項１に記載の画像処理装置。
【請求項３】
前記任意の画像パーツは「ふきだし」であり、前記画像合成手段は、前記「ふきだし」を移動させる際に、指定する本人の周りにいる人物の顔も避けるように位置決めすることを特徴とする請求項２に記載の画像処理装置。
【請求項４】
前記画像合成手段は、前記「ふきだし」に係る人物の顔が向いている方向を優先してデフォルト位置として位置決めし、そこから順番に、人物の顔を避けるように位置決めすることを特徴とする請求項３に記載の画像処理装置。
【請求項５】
前記画像合成手段は、人物の顔を避けるように位置決めした「ふきだし」本体と前記人物の口とを、直線もしくは鋭角三角形で結び、話者が誰であるかを視覚的に見えるようにすることを特徴とする請求項２または３に記載の画像処理装置。
【請求項６】
前記「ふきだし」本体の中に、文字列を記入する文字列記入手段を有することを特徴とする請求項３〜５の何れか１項に記載の画像処理装置。
【請求項７】
前記文字列記入手段により記入された文字列入りの「ふきだし」のサイズを、表示可能領域のサイズ及び文字数に応じて決定するサイズ決定手段を有することを特徴とする請求項６に記載の画像処理装置。
【請求項８】
撮像装置側で行った顔検知の結果を読み取る顔検知結果読み取り手段を有し、
前記顔領域表示手段は、前記顔検知結果読み取り手段により読み取った顔検知の結果に基づいて前記人物の顔領域の枠を前記プレビュー画面に表示することを特徴とする請求項１〜７の何れか１項に記載の画像処理装置。
【請求項９】
印刷候補の画像データのプレビュー画面を表示部に表示させることが可能な画像処理装置における画像処理方法であって、
人物が写っている可能性のある画像データに対して顔検知処理を行い、人物の顔領域と、目及び口の位置を検知する顔検知工程と、
前記顔検知工程において検知した人物の顔領域の枠を前記プレビュー画面に表示する顔領域表示工程と、
画像パーツを配置すべく前記プレビュー画面の任意の座標位置を指示する指示工程と、
前記顔検知工程の検知結果に基づき、前記指示工程において指示された画像パーツを前記顔領域の周囲において移動させ画像パーツ移動工程と、を有することを特徴とする画像処理方法。
【請求項１０】
前記画像パーツ移動工程において位置決めされた画像パーツと、前記印刷候補の画像データとを重ね合わせて合成してプリンタエンジンに送出する画像合成工程をさらに有することを特徴とする請求項９に記載の画像処理方法。
【請求項１１】
前記任意の画像パーツは「ふきだし」であり、前記画像合成工程は、前記「ふきだし」を移動させる際に、指定する本人の周りにいる人物の顔も避けるように位置決めすることを特徴とする請求項１０に記載の画像処理方法。
【請求項１２】
前記画像合成工程は、前記「ふきだし」に係る人物の顔が向いている方向を優先してデフォルト位置として位置決めし、そこから順番に、人物の顔を避けるように位置決めすることを特徴とする請求項１１に記載の画像処理方法。
【請求項１３】
前記画像合成工程は、人物の顔を避けるように位置決めした「ふきだし」本体と前記人物の口とを、直線もしくは鋭角三角形で結び、話者が誰であるかを視覚的に見えるようにすることを特徴とする請求項１１または１２に記載の画像処理方法。
【請求項１４】
前記「ふきだし」本体の中に、ＧＵＩ経由で文字列を記入する文字列記入工程を有することを特徴とする請求項１１〜１３の何れか１項に記載の画像処理方法。
【請求項１５】
前記文字列記入工程において記入された文字列入りの「ふきだし」のサイズを、表示可能領域のサイズ及び文字数に応じて決定するサイズ決定工程を有することを特徴とする請求項１４に記載の画像処理方法。
【請求項１６】
撮像装置側で行った顔検知の結果を読み取る顔検知結果読み取り工程を有し、
前記顔領域表示工程は、前記顔検知結果読み取り工程において読み取った顔検知の結果に基づいて前記人物の顔領域の枠を前記プレビュー画面に表示することを特徴とする請求項１０〜１５の何れか１項に記載の画像処理方法。
【請求項１７】
印刷候補の画像データのプレビュー画面を表示部に表示させることが可能な画像処理装置における画像処理方法をコンピュータに実行させるプログラムであって、
人物が写っている可能性のある画像データに対して顔検知処理を行い、人物の顔領域と、目及び口の位置を検知する顔検知工程と、
前記顔検知工程において検知した人物の顔領域の枠を前記プレビュー画面に表示する顔領域表示工程と、
画像パーツを配置すべく前記プレビュー画面の任意の座標位置を指示する指示工程と、
前記顔検知工程の検知結果に基づき、前記指示工程において指示された画像パーツを前記顔領域の周囲において移動させ画像パーツ移動工程とを有する画像処理方法をコンピュータに実行させることを特徴とするプログラム。
【請求項１８】
請求項１７に記載のプログラムを記録したことを特徴とするコンピュータ読み取り可能な記録媒体。
【手続補正２】
【補正対象書類名】明細書
【補正対象項目名】００１４
【補正方法】変更
【補正の内容】
【００１４】
本発明の画像処理装置は、印刷候補の画像データのプレビュー画面を表示部に表示させることが可能な画像処理装置であって、人物が写っている可能性のある画像データに対して顔検知処理を行い、人物の顔領域と、目及び口の位置を検知する顔検知手段と、前記顔検知手段により検知した人物の顔領域の枠を前記プレビュー画面に表示する顔領域表示手段と、画像パーツを配置すべく前記プレビュー画面の任意の座標位置を指示する指示手段と、前記顔検知手段の検知結果に基づき、前記指示手段により指示された画像パーツを前記顔領域の周囲において移動させ画像パーツ移動手段と、を有することを特徴とする。
【手続補正３】
【補正対象書類名】明細書
【補正対象項目名】００１５
【補正方法】変更
【補正の内容】
【００１５】
本発明の画像処理方法は、印刷候補の画像データのプレビュー画面を表示部に表示させることが可能な画像処理装置における画像処理方法であって、人物が写っている可能性のある画像データに対して顔検知処理を行い、人物の顔領域と、目及び口の位置を検知する顔検知工程と、前記顔検知工程において検知した人物の顔領域の枠を前記プレビュー画面に表示する顔領域表示工程と、画像パーツを配置すべく前記プレビュー画面の任意の座標位置を指示する指示工程と、前記顔検知工程の検知結果に基づき、前記指示工程において指示された画像パーツを前記顔領域の周囲において移動させ画像パーツ移動工程とを有することを特徴とする。
【手続補正４】
【補正対象書類名】明細書
【補正対象項目名】００１６
【補正方法】変更
【補正の内容】
【００１６】
本発明のプログラムは、印刷候補の画像データのプレビュー画面を表示部に表示させることが可能な画像処理装置における画像処理方法をコンピュータに実行させるプログラムであって、人物が写っている可能性のある画像データに対して顔検知処理を行い、人物の顔領域と、目及び口の位置を検知する顔検知工程と、前記顔検知工程において検知した人物の顔領域の枠を前記プレビュー画面に表示する顔領域表示工程と、画像パーツを配置すべく前記プレビュー画面の任意の座標位置を指示する指示工程と、前記顔検知工程の検知結果に基づき、前記指示工程において指示された画像パーツを前記顔領域の周囲において移動させ画像パーツ移動工程とを有する画像処理方法をコンピュータに実行させることを特徴とする。